(57)【要約】【課題】製造容易で、且つ組立て工程が少ない緩衝体を提供する。【解決手段】包装箱２に挿入される緩衝体１において、包装箱２の底壁と略同形状の底板を備え、底板の側縁には、底板の側縁から突出する第１突片が設けられ、第１突片は、切込部により底板の内側まで延設され、包装箱２に挿入して底板と底壁とを重ね合わせたとき、第１突片は、第1突片の一部が包装箱２の側壁に接触することにより斜め上方に起立する。【選択図】  図１
2004203405.tif 000002
【特許請求の範囲】
【請求項１】
包装箱に挿入される緩衝体において、
該包装箱の底壁と略同形状の底板を備え、
該底板の側縁には、底板の側縁から突出する第１突片が設けられ、
該第１突片は、切込部により底板の内側まで延設され、
包装箱に挿入して底板と底壁とを重ね合わせたとき、該第１突片は、第1突片の一部が包装箱の側壁に接触することにより斜め上方に起立することを特徴とする緩衝体。
【請求項２】
前記第1突片は、前記底板の側縁から略垂直に延びる第１辺と、該第１辺の外端から該底板の側縁に略並行に延びる第２辺と、該第２辺の端から該底板の側縁に向かって斜めに延びる第３辺とを備え、
前記切込部は、前記第１辺の延長上に前記底板の内側へ延設された切込線であって、
該底板には、該切込線の内端から前記第３辺の内端に向かって斜めに延びる折目線が形成され、
該第１突片は、折目線を介して斜め上方に起立することを特徴とする請求項１記載の緩衝体。
【請求項３】
包装箱に挿入される緩衝体において、
該包装箱の底壁と略同形状の底板を備え、
該底板の側縁には、底板の側縁から突出する第２突片が設けられ、
該第２突片は、一対の切込線により底板の内側まで延設され、
包装箱に挿入して底板と底壁とを重ね合わせたとき、該第２突片は、包装箱の側壁に接触することにより斜め上方に起立し、
そして、前記包装箱に収納する収納物品に押圧され、前後方向の断面が略Ｌ字状に折れ曲がり、該第２突片の先端部が前記側板と収納物品との間に挟まれて配置されることを特徴とする緩衝体。
【発明の詳細な説明】
【０００１】
【発明の属する技術分野】
本発明は、包装箱と収納物品との間に配置される緩衝体に関する。
【０００２】
【従来の技術】
従来、包装箱内の収納物品を衝撃から保護するために、発泡スチロールに替えて、段ボール板紙を折り曲げて組立て、包装箱と収納物品との間に配置した緩衝体が知られている（例えば、特許文献１参照。）。
【０００３】
該緩衝体は、矩形状の底板と、底板の両長辺側縁にそれぞれ連設された一対の第１側板と、底板の両短辺側縁に連設された一対の第２側板と、両第２側板の先端縁に上縁板を介して連設された一対の内側板とからなる。両内側板は、底板よりも幅広に形成されている。両第１側板の両側縁部には、一対の第１スリットが形成されている。また、両内側板の両側縁部には、一対の第２スリットが形成されている。
【０００４】
該緩衝体は、第１・第２側板を垂直に起立し、上縁板を介して内側板を内側へ折返し、両第１スリットと両第２スリットとを係合させることにより組み立てられる。両内側板の両側縁は、包装箱の側壁に接触している。また、両内側板は底板よりも幅広に形成されているため、第１側板は包装箱の側壁から間隔を存して起立している。また、上縁板により第２側板と内側板とは間隔を存して起立している。収納物品は、両第１側板と両内側板とで囲まれた空間に収納される。
【０００５】
このような段ボール板紙を折り曲げて組立てた緩衝体は、発泡スチロールの緩衝体と比較して、焼却処理する場合に焼却炉を傷めないというメリットがある。しかしながら、その反面、従来の段ボール板紙の緩衝体は、組立てる工程が多く、手数がかかるという問題がある。
【０００６】
【特許文献１】
特開２００２−１９８４８号公報（第３−４頁、第５図）
【０００７】
【発明が解決しようとする課題】
本発明は上記背景を鑑みてなされたものであり、製造容易で、且つ組立て工程が少ない緩衝体を提供することを目的とする。
【０００８】
【課題を解決するための手段】
上記目的を達成するため、本発明の緩衝体は、包装箱に挿入される緩衝体において、該包装箱の底壁と略同形状の底板を備え、該底板の側縁には、底板の側縁から突出する第１突片が設けられ、該第１突片は、切込部により底板の内側まで延設され、包装箱に挿入して底板と底壁とを重ね合わせたとき、該第１突片は、第1突片の一部が包装箱の側壁に接触することにより斜め上方に起立することを特徴とする。
【０００９】
かかる発明によれば、第１突片は、包装箱へ緩衝体を挿入する際に包装箱の側壁に接触し自動的に斜め上方に起立するため、第１突片を斜め上方に折り曲げてから包装箱に挿入する組み立て工程を省くことができる。また、第１突片は、収納物品と接触することにより、包装箱の内での収納物品の横移動を防止する。さらに、第１突片は、斜め上方に起立しているため、包装箱の側壁と収納物品との間に空間が発生し、包装箱外部からの収納物品への衝撃を緩和する。
【００１０】
また、前記第1突片は、前記底板の側縁から略垂直に延びる第１辺と、該第１辺の外端から該底板の側縁に略並行に延びる第２辺と、該第２辺の端から該底板の側縁に向かって斜めに延びる第３辺とを備え、前記切込部は、前記第１辺の延長上に前記底板の内側へ延設された切込線であって、該底板には、該切込線の内端から前記第３辺の内端に向かって斜めに延びる折目線が形成され、該第１突片は、折目線を介して斜め上方に起立することが好ましい。
【００１１】
また、本発明の緩衝体は、包装箱に挿入される緩衝体において、該包装箱の底壁と略同形状の底板を備え、該底板の側縁には、底板の側縁から突出する第２突片が設けられ、該第２突片は、一対の切込線により底板の内側まで延設され、包装箱に挿入して底板と底壁とを重ね合わせたとき、該第２突片は、包装箱の側壁に接触することにより斜め上方に起立し、そして、前記包装箱に収納する収納物品に押圧され、前後方向の断面が略Ｌ字状に折れ曲がり、該第２突片の先端部が前記側板と収納物品との間に挟まれて配置されることを特徴とする。
【００１２】
かかる発明によれば、第２突片は、包装箱へ緩衝体を挿入する際に包装箱の側壁に接触し自動的に上方へ斜めに起立するため、第２突片を折り曲げてから包装箱に挿入する組み立て工程を省くことができる。また、第２突片は、収納物品が収納されて初めて前後方向の断面略Ｌ字状に形成される。このため、第２突片を、収納物品が収納される前から断面略Ｌ字状に形成している場合のように、収納物品に押圧されて第２突片が２つに折り重なって緩衝体として機能しないことはない。さらに、第２突片の先端は、包装箱の側壁と収納物品の間に配置されるため、包装箱外部からの収納物品への衝撃を緩和する。
【００１３】
【発明の実施の形態】
本発明の実施の形態を図１から図７を参照して説明する。図１は本実施形態の緩衝体の全体図、図２は本実施形態の緩衝体の展開図、図３は本実施形態の緩衝体を包装箱に挿入した状態を示す説明図、図４は本実施形態の緩衝体内へ収納物品を挿入した状態を示す説明図、図５は本実施形態の第２突片の状態を示す説明図、図６は第２突片が最初から折れ曲がっていた場合を示す説明図、図７は本実施形態の緩衝体を図１のＩの断面から示す説明図である。
本実施形態の緩衝体１は、図１に示すように、点線で表された包装箱２に収納されて用いられる。本実施形態においては、収納物品として、光源筒３ａと反射鏡３ｂとからなる投光器が用いられている。緩衝体１は、光源筒３ａと、反射鏡３ｂとを包むように取り囲んでいる。
【００１４】
図２は、本実施形態の緩衝体１の展開図である。
【００１５】
緩衝体１は、図２に示すように、一枚の段ボール板紙を打ち抜いて形成されている。中央部には、略矩形状の底板４が設けられている。底板４の前後の両側縁中央部から内側へは、一対の斜め折目線ａが形成されている。各折目線ａの内端からは、底板４のそれぞれ外側の前後側縁に向かって、切込線ｂが設けられている。折目線ａと切込線ｂとの両外端に挟まれた底板４の前後両側縁からは、それぞれ外側に突出する一対の第１突片５が連設されている。両第１突片５は、切込線ｂの外端から切込線ｂの延長上に形成された第１辺６ａと、第１辺６ａの外端から底板４の前後側縁に略平行に形成された第２辺６ｂと、第２辺６ｂの右端から折目線ａの外端に向かって斜めに形成された第３辺６ｃとにそれぞれ囲まれている。
【００１６】
両第１突片５の右側にはそれぞれ間隔をあけて一対の第２突片７が、それぞれ底板４の前後側縁から外側に突出して設けられている。両第２突片７は、底板４の前後側縁からそれぞれ垂直に延びる一対の第３辺６ｄと、底板４の前後側縁と平行に形成され両第３辺６ｄの先端同士を結ぶ第４辺６ｅとにより略矩形状に形成されている。また、第２突片７は、両第３辺６ｄの基端から底板４の内側へ向かって形成された一対の切込線ｃと、底板４の前後側縁と平行に形成され両切込線ｃの内端同士を結ぶ折目線ｄとにより、底板４の内側に延設されている。
【００１７】
底板４の左側縁中央部には、折目線ｅを介して第１側板８が設けられている。第１側板８の前後方向の長さは、底板４の前後方向の長さよりも短く形成されている。底板４の左側縁両端部には、それぞれ左方向に突出する一対の突片９ａが形成されている。また、底板４の左側縁中央部には、第１側板８に跨って略矩形状の切欠部１０が形成されている。切欠部１０の右内縁は、弧状に形成されている。また、切欠部１０の左内縁には、折目線ｆを介して、略Ｌ字状の舌片１１が連設されている。
【００１８】
第１側板８の左側縁には、折目線ｇを介して、第１天板１２が連設されている。第１天板１２の前後方向の長さは、底板４と同一の長さである。第１天板１２の右側縁両端部には、それぞれ右方向に突出する一対の突片９ｂが連設されている。第１天板１２は、中央部から右側縁に向かって一対の切込線ｈが設けられている。両切込線ｈの左端は、両者を結ぶように折目線ｉが形成されている。両切込線ｈの左端部からは、両者を結ぶように弧状の切込線ｊが形成されている。両切込線ｈと折目線ｉと切込線ｊとに囲まれた部分により、片１３が形成される。また、両切込線ｈと切込線ｊと側板８の左側縁とに囲まれた部分により、光源筒３ａの開口部を支持する支持片１４が形成される。支持片１４の先端部には、前後方向に延びる折目線ｋが形成されている。
【００１９】
また、第１天板１２の中央部には、コ字状の切込線ｌを形成することにより片１５が設けられている。第１天板１２の左部には、一対の挿入孔１６が設けられている。両挿入孔１６の間には、前後方向に延びるスリット状の係合孔１７が形成されている。また、第１天板１２の左前方部には、矩形状の窓部１８が形成される。
【００２０】
底板４の右側縁には、右側縁に沿って中央部まで延びる一対の切込線ｍが形成されている。両切込線ｍの内端からは、それぞれ左方向に垂直に延びる一対の切込線ｎが形成されている。切込線ｎの長さは、段ボール板紙の厚さと同一である。両切込線ｎの左端には、両者を連結するように折目線ｏが形成される。
【００２１】
底板４の右側縁には、折目線ｏを介して、第２側板１９が連設される。第２側板１９の右部には、コ字状の切込線ｐが両端を右に向けるように形成されている。切込線ｐの内側に、突片９ｃが形成されている。切込線ｐの両端からは、折目線ｑが、それぞれ前後方向外側へ向かって形成されている。第２側板１９の右側縁には、折目線ｑを介して、第２天板２０が連設されている。第２天板２０の中央部には、略Ｕ字状の切込線ｒが両端を左側に向けて形成されている。切込線ｒの左側には、略矩形状の孔２１が形成されている。孔２１の前後の両側縁からは、右方向に延びる切込線ｓが設けられている。両切込線ｓの右端と、略Ｕ字状の切込線ｒの両端とは、前後方向に延びる折目線ｔにより、それぞれ接続される。切込線ｒ，ｓ、折目線ｔ、孔２１に囲まれて、係合片２２が形成される。
【００２２】
次に、本実施形態の緩衝体１の組み立て工程を説明する。
【００２３】
図３に示すように、緩衝体１を折目線ｅ，ｏを介して第１・第２側板８，１９を上方へ折り曲げ、一点鎖線で示した包装箱２の中へ収納する。このとき、第１突片５と、第２突片７とが包装箱２の側壁に接触し自動的に斜め上方へ起立する。底板４は、包装箱２の底壁と略同形状であるため、包装箱２内で横移動することはない。
【００２４】
次いで、図４に示すように、反射鏡３ｂを緩衝体１内に挿入する。このとき、第２突片７は、図５に示すように、反射鏡３ｂに押圧されて断面略Ｌ字状に折れ曲がる。これにより、図６に示すように、反射鏡３ｂを挿入する前から、略Ｌ字状に形成するとことにより、第２突片７が折返されることを防止することができる。また、図４に示すように、第１突片５は反射鏡３ｂの底部と接触しており、反射鏡３ｂの左方向への横ずれを防止する。
【００２５】
次いで、第1天板１２を折目線ｇを介して内側へ折り曲げる。このとき、切込線ｌにより形成された片１５は、反射鏡３ｂの突起部（図省略）に接触してやや斜め上方に起立する。また、挿入孔１６、および窓部１８には、反射鏡３ｂの突起部２３ａ〜ｃがそれぞれ挿入される。また、片１３を折目線ｉを介して下方に折り曲げる。このとき、折目線ｉと一対の切込線ｈと支持片１４とに囲まれて支持孔２４が形成される。そして、光源筒３ａは、支持孔２４に挿入して開口部を支持片１４に支持される。次いで、支持片１４の先端部を折目線ｋを介して内側へ折り曲げる。また、図7に示すように、突片９ｂは、包装箱２の側壁に接触している。また、舌片１１は、折目線ｆを介して内側へ折り曲げられ、反射鏡３ｂに設けられた脚部材２３ｄを係止する。
【００２６】
次いで、図4に示すように、係合片２２を折目線ｔを介して内側へ垂直に折り曲げる。そして、第２天板２０を、図１に示すように、折目線ｑを介して内側へ折り曲げる。このとき、係合片２２を係合孔１７を挿入して係合する。また、突片９ｃは、図7に示すように、包装箱２の側壁に接触する。
【００２７】
本実施形態の緩衝体１によれば、第１・第２突片が包装箱２へ緩衝体１を挿入する際に包装箱２の側壁に接触し自動的に斜め上方に起立する。このため、第１・第２突片５，７を斜め上方に折り曲げてから包装箱に挿入する組み立て工程を省くことができる。また、第１突片５は、反射鏡３ｂの底部と接触することにより、包装箱２の内での反射鏡３ｂの横移動を防止する。さらに、第１突片５は、斜め上方に起立しているため、包装箱２の側壁と反射鏡３ｂとの間に空間が発生し、包装箱２の外部からの反射鏡３ｂへの衝撃を緩和する。
【００２８】
また、第２突片７は、反射鏡３ｂに押圧されることにより初めて断面Ｌ字状に形成される。このため、第２突片が反射鏡３ｂが収納される前から断面略Ｌ字状に形成している場合のように、反射鏡３ｂに押圧されて第２突片が２つに折り重なって第２突片が緩衝体として機能しないことはない。さらに、第２突片７の先端は、包装箱２の側壁と反射鏡３ｂとの間に配置されるため、包装箱２の外部からの反射鏡３ｂへの衝撃を緩和する。製造容易で、且つ組立作業が容易である緩衝体１を提供することができる。また、１枚の段ボール板紙で構成されているため、少ない紙面で有効に緩衝体１を構成することができる
【図面の簡単な説明】
【図１】本実施形態の緩衝体の全体図。
【図２】本実施形態の緩衝体の展開図。
【図３】本実施形態の緩衝体を包装箱に挿入した状態を示す説明図。
【図４】本実施形態の緩衝体内へ収納物品を挿入した状態を示す説明図。
【図５】本実施形態の第２突片の状態を示す説明図。
【図６】第２突片が最初から折れ曲がっていた場合を示す説明図。
【図７】本実施形態の緩衝体を図１のＩの方向から見た状態を示す説明図。
【符号の説明】
１…緩衝体、  ２…包装箱、  ３ａ…光源筒、  ３ｂ…反射鏡、  ４…底板、  ５…第１突片、  ６…辺、  ７…第２突片、  ８…第１側板、  ９ａ，９ｂ，９ｃ…突片、  １０…切欠部、  １１…舌片、  １２…第１天板、  １３…片、  １４…支持片、  １５…片、１６…挿入孔、  １７…係合孔、  １８…窓部、  １９…第２側板、  ２０…第２天板、  ２１…孔、  ２２…係合片、  ２３…突起部、  ２４…支持孔、  ａ，ｄ，ｅ，ｆ，ｇ，ｉ，ｋ，ｏ，ｑ、ｔ…折目線、ｂ，ｃ，ｈ，ｊ，ｌ，ｍ，ｎ，ｐ，ｒ，ｓ…切込線。
【図１】
2004203405.tif 000003
【図２】
2004203405.tif 000004
【図３】
2004203405.tif 000005
【図４】
2004203405.tif 000006
【図５】
2004203405.tif 000007
【図６】
2004203405.tif 000008
【図７】
2004203405.tif 000009